(57)【特許請求の範囲】
【請求項１】
MCCH更新インディケーション情報のスケジューリング情報をBCCHに搬送して送信することを含み、
前記MCCH更新インディケーション情報のスケジューリング情報は、少なくともMCCH更新インディケーション情報の送信法則情報を含み、
前記MCCH更新インディケーション情報の送信法則情報は、倍数と、前記MCCH更新インディケーション情報を搬送する初期無線フレーム情報と、前記MCCH更新インディケーション情報を搬送するサブフレーム情報とを含み、
前記倍数は、前記MCCH更新インディケーション情報の送信周期と前記MCCHの修正周期との倍数の関係を指し、
前記倍数が前記MCCH更新インディケーション情報の送信法則情報に含まれて、BCCHに搬送されて送信されることによって、前記MCCH更新インディケーション情報の送信周期を暗黙的に送信することを特徴とするMCCH更新インディケーション情報のスケジューリング情報の搬送方法。
【請求項２】
サブフレーム番号を指示する方式で、前記MCCH更新インディケーション情報を搬送するサブフレーム情報を指示することをさらに含むことを特徴とする請求項１に記載の方法。
【請求項３】
前記MCCH更新インディケーション情報のスケジューリング情報は、MCCH更新インディケーション情報の制御情報をさらに含むことを特徴とする請求項１に記載の方法。
【請求項４】
BCCHを受信してMCCH更新インディケーション情報のスケジューリング情報を取得し、前記MCCH更新インディケーション情報のスケジューリング情報においてMCCH更新インディケーション情報の送信法則情報に基づいて前記MCCH更新インディケーション情報を受信することを含み、
前記MCCH更新インディケーション情報の送信法則情報は、倍数と、前記MCCH更新インディケーション情報を搬送する初期無線フレーム情報と、前記MCCH更新インディケーション情報を搬送するサブフレーム情報とを含み、
前記倍数は、前記MCCH更新インディケーション情報の送信周期と前記MCCHの修正周期との倍数の関係を指すことを特徴とするMCCH更新インディケーション情報のスケジューリング情報の受信方法。
【請求項５】
前記MCCH更新インディケーション情報を受信することは、具体的に、
前記MCCH更新インディケーション情報のスケジューリング情報には前記MCCH更新インディケーション情報を搬送する無線フレーム情報だけが含まれる場合、前記MCCH更新インディケーション情報の制御情報を取得するまで、前記MCCH更新インディケーション情報を搬送する無線フレーム内の全てのサブフレームの制御領域を逐一受信してサーチし、前記MCCH更新インディケーション情報の制御情報に基づいてサブフレームデータ領域に搬送された前記MCCH更新インディケーション情報を取得し、
前記MCCH更新インディケーション情報のスケジューリング情報には前記MCCH更新インディケーション情報を搬送するサブフレーム情報だけが含まれる場合、前記サブフレーム情報に基づいて、前記MCCH更新インディケーション情報の制御情報を取得するまで、各無線フレームにおける前記サブフレームの制御領域を逐一受信してサーチし、前記MCCH更新インディケーション情報の制御情報に基づいて当該サブフレームデータ領域に搬送された前記MCCH更新インディケーション情報を取得し、
前記MCCH更新インディケーション情報のスケジューリング情報には前記MCCH更新インディケーション情報を搬送する無線フレーム情報が含まれ、具体的に前記MCCH更新インディケーション情報を搬送するサブフレーム情報がさらに含まれる場合、前記MCCH更新インディケーション情報を搬送する無線フレームにおいて前記サブフレームの制御領域を受信してサーチし、前記MCCH更新インディケーション情報の制御情報を取得し、前記MCCH更新インディケーション情報の制御情報に基づいて、当該サブフレームデータ領域に搬送された前記MCCH更新インディケーション情報を取得し、
前記MCCH更新インディケーション情報のスケジューリング情報には前記MCCH更新インディケーション情報を搬送する無線フレーム情報が含まれ、MCCH更新インディケーション情報の制御情報がさらに含まれる場合、前記MCCH更新インディケーション情報を取得するまで、前記MCCH更新インディケーション情報を搬送する無線フレームにおける全てのサブフレームのデータ領域において前記制御情報によって指示される時間周波数リソース上のデータを逐一受信して、そして、デコードして判断し、
前記MCCH更新インディケーション情報のスケジューリング情報には前記MCCH更新インディケーション情報を搬送するサブフレーム情報が含まれ、MCCH更新インディケーション情報の制御情報がさらに含まれる場合、前記MCCH更新インディケーション情報を取得するまで、各無線フレーム内の前記サブフレームのデータ領域において前記制御情報によって指示される時間周波数リソース上のデータを受信し、そして、デコードして判断し、
前記MCCH更新インディケーション情報のスケジューリング情報には前記MCCH更新インディケーション情報を搬送する無線フレーム及びサブフレーム情報が含まれ、MCCH更新インディケーション情報の制御情報がさらに含まれる場合、前記無線フレーム情報、サブフレーム情報及びMCCH更新インディケーション情報の制御情報に基づいて、前記MCCH更新インディケーション情報を搬送する無線フレーム内の前記サブフレームのデータ領域におけるMCCH更新インディケーション情報を受信することを特徴とする請求項４に記載の方法。
【請求項６】
MCCH更新インディケーション情報のスケジューリング情報を設定する設定ユニットと、
前記MCCH更新インディケーション情報のスケジューリング情報をBCCHに配置する搬送ユニットと、
前記BCCHを送信する送信ユニットと
を備え、
前記MCCH更新インディケーション情報のスケジューリング情報は、少なくともMCCH更新インディケーション情報の送信法則情報を含み、
前記MCCH更新インディケーション情報の送信法則情報は、倍数と、前記MCCH更新インディケーション情報を搬送する初期無線フレーム情報と、前記MCCH更新インディケーション情報を搬送するサブフレーム情報とを含み、
前記倍数は、前記MCCH更新インディケーション情報の送信周期と前記MCCHの修正周期との倍数の関係を指し、
前記倍数が前記MCCH更新インディケーション情報の送信法則情報に含まれて、BCCHに搬送されて送信されることによって、前記MCCH更新インディケーション情報の送信周期を暗黙的に送信することを特徴とするMCCH更新インディケーション情報のスケジューリング情報の搬送装置。
【請求項７】
前記MCCH更新インディケーション情報のスケジューリング情報は、前記MCCH更新インディケーション情報の制御情報をさらに含むことを特徴とする請求項６に記載の装置。
【請求項８】
BCCHを受信してMCCH更新インディケーション情報のスケジューリング情報を取得する第１受信ユニットと、
前記MCCH更新インディケーション情報のスケジューリング情報においてMCCH更新インディケーション情報の送信法則情報に基づいて前記MCCH更新インディケーション情報をさらに受信する第２受信ユニットと
を備え、
前記MCCH更新インディケーション情報の送信法則情報は、倍数と、前記MCCH更新インディケーション情報を搬送する初期無線フレーム情報と、前記MCCH更新インディケーション情報を搬送するサブフレーム情報とを含み、
前記倍数は、前記MCCH更新インディケーション情報の送信周期と前記MCCHの修正周期との倍数の関係を指すことを特徴とするMCCH更新インディケーション情報のスケジューリング情報の受信装置。
【請求項９】
前記MCCH更新インディケーション情報のスケジューリングには前記MCCH更新インディケーション情報を搬送する無線フレーム情報だけが含まれる場合、前記第２受信ユニットは前記MCCH更新インディケーション情報の制御情報を取得するまで、前記MCCH更新インディケーション情報を搬送する無線フレーム内の全てのサブフレームの制御領域を逐一受信してサーチし、前記MCCH更新インディケーション情報の制御情報に基づいてフレームデータ領域に搬送された前記MCCH更新インディケーション情報を取得し、
前記MCCH更新インディケーション情報のスケジューリング情報には前記MCCH更新インディケーション情報を搬送するサブフレーム情報だけが含まれる場合、前記第２受信ユニットはさらに前記サブフレーム情報に基づいて、前記MCCH更新インディケーション情報の制御情報を取得するまで、各無線フレーム内の前記サブフレームの制御領域を逐一受信してサーチし、前記MCCH更新インディケーション情報の制御情報に基づいてサブフレームデータ領域に搬送された前記MCCH更新インディケーション情報を取得し、
前記MCCH更新インディケーション情報のスケジューリング情報には前記MCCH更新インディケーション情報を搬送する無線フレーム情報が含まれ、具体的に前記MCCH更新インディケーション情報を搬送するサブフレーム情報がさらに含まれる場合、前記第２受信ユニットは前記MCCH更新インディケーション情報を搬送する無線フレーム内の前記サブフレームの制御領域を受信してサーチし、前記MCCH更新インディケーション情報の制御情報を取得し、前記MCCH更新インディケーション情報の制御情報に基づいて、当該サブフレームデータ領域に搬送された前記MCCH更新インディケーション情報を取得し、
前記MCCH更新インディケーション情報のスケジューリング情報には前記MCCH更新インディケーション情報を搬送する無線フレーム情報が含まれ、MCCH更新インディケーション情報の制御情報がさらに含まれる場合、前記第２受信ユニットは前記MCCH更新インディケーション情報を取得するまで、前記MCCH更新インディケーション情報を搬送する無線フレーム内の全てのサブフレームのデータ領域において前記制御情報によって指示される時間周波数リソース上のデータを逐一受信して、そして、デコードして判断し、
前記MCCH更新インディケーション情報のスケジューリング情報には前記MCCH更新インディケーション情報を搬送するサブフレーム情報が含まれ、MCCH更新インディケーション情報の制御情報がさらに含まれる場合、前記第２受信ユニットは前記MCCH更新インディケーション情報を取得するまで、各無線フレーム内の前記サブフレームのデータ領域において前記制御情報によって指示される時間周波数リソース上のデータを受信して、そして、デコードして判断し、
前記MCCH更新インディケーション情報のスケジューリング情報には前記MCCH更新インディケーション情報を搬送する無線フレーム及びサブフレーム情報が含まれ、MCCH更新インディケーション情報の制御情報がさらに含まれる場合、前記第２受信ユニットは前記無線フレーム情報、サブフレーム情報及びMCCH更新インディケーション情報の制御情報に基づいて、前記MCCH更新インディケーション情報を搬送する無線フレーム内の前記サブフレームのデータ領域におけるMCCH更新インディケーション情報を受信することを特徴とする請求項８に記載の装置。
【発明の詳細な説明】
【技術分野】
【０００１】
本発明は、マルチメディアブロードマルチキャストサービス制御チャネル（ＭＣＣＨ：MBMS Control Channel）更新インディケーション情報のスケジューリング情報の搬送、受信技術に関し、特に、マルチメディアブロードマルチキャストサービス（ＭＢＭＳ：Multimedia Broadcast Multicast Service）システムにおけるMCCH更新インディケーション情報のスケジューリング情報の搬送方法、受信方法及び装置に関する。
【背景技術】
【０００２】
インターネットの急激な発展とともに、ビッグスクリーン多機能モバイル端末の普及につれて、大量の移動データマルチメディアサービスと様々な高帯域マルチメディアサービスが現れ、例えば、テレビ会議、テレビ・ラジオ、ビデオ・オン・デマンド、広告、ネット教育、インタラクティブゲーム等、移動ユーザのマルチサービスの需要が満たされ、同時に、移動事業者に新しい業務成長点をもたらした。これらの移動データマルチメディアサービスは、複数のユーザが同時に同じデータを受信できることを要求し、普通なデータサービスと比べると、データ量が大きく、継続時間が長く、時間遅延が敏感であるなどの特徴がある。
【０００３】
有効的に移動ネットワークリソースを利用するために、第三世代パートナーシップ・プロジェクト（３ＧＰＰ：３rd Generation Partnership Project）にはMBMSが提案された。当該サービスは、一つのデータソースから複数のターゲットモバイル端末へデータを伝送する技術であって、ネットワーク（コアネットワークとアクセスネットワークを含む）リソースの共有を実現させ、ネットワークリソースの利用率、特に、エアインターフェースリソースの利用率を向上させた。3GPPに定義されたMBMSは、プレーンテキスト低レートのメッセージ類のマルチキャストと放送を実現できるだけではなく、高速マルチメディアサービスの放送とマルチキャストを実現でき、多種の豊富なビデオ、オーディオ及びマルチサービスも提供される。きっと未来の移動データの発展のトレンドを順応して、第３世代移動通信システム（3Ｇ ：3rd Generation）の発展に、よりよいサービスの将来性を提供した。
【０００４】
MBMSの特徴とは、サービスのデータ量が大きく、モバイル端末が受信する時に継続時間が長い、平均データレートが一定である。上記特徴により、MBMSシステムのサービススケジューリング、制御シグナル配置がいずれも半分静的であることを決定した。即ち、MBMSサービスのスケジューリング情報、制御シグナル情報は、いずれも長期的に一定不変に維持し、このように、MCCHの周期ごとに、システム側が不変のメッセージを送信する。終始に送信する原因は、いつでも新しいユーザがアクセスするかもしれないからである。こうして、既にMCCHを受信したモバイル端末にとっては、毎回に、変化なしのMCCHを受信する必要がなくて、しかも、MCCHの情報量も比較的に大きい、受信と解析の過程の電気消耗量が大きいから、終始にMCCHを受信すると電力がかかる。これに対しては、MBMSシステムにおいて、MCCH更新インディケーション情報を加えて、少しばかりの情報でMCCHが変化したかどうかを説明し、既にMCCHを受信したサービスアクセスモバイル端末がわずかな情報量のMCCH更新インディケーション情報を受信するだけでよく、それから、MCCHを受信するかどうかを確定することが提案される。
【０００５】
長期進化型（ＬＴＥ:Long Term Evolution）システムにおいて、現在、MCCH更新インディケーション情報の送信については、完全に議論を展開していないが、しかし、LTEにはMCCH及びMCCH更新インディケーション情報の送信のための専用の物理チャネルを導入することを望んでいないが、当該MCCH更新インディケーション情報の機能を保留すべきで、固定の物理チャネルがないため、MCCH更新インディケーション情報に物理リソースを配置する必要があって、その後、MCCH更新インディケーション情報のスケジューリング情報をモバイル端末へ送信する必要もあり、モバイル端末に当該MCCH更新インディケーション情報を受信させ、また、MCCH更新インディケーション情報の送信方式がまだ議論の段階であるため、MCCH更新インディケーション情報のスケジューリング情報の送信方式がまだ確定されていない。
【発明の概要】
【発明が解決しようとする課題】
【０００６】
これに鑑みてなられるものであって、本発明の主な目的はモバイル端末に素早くMCCH更新インディケーション情報のスケジューリング情報を受け取らせて、MCCH更新インディケーション情報を受信するように、MCCH更新インディケーション情報のスケジューリング情報の搬送、受信方法及び装置を提供することにある。
【課題を解決するための手段】
【０００７】
上記目的を達するために、本発明の技術方法は、以下のように実現される。
【０００８】
MCCH更新インディケーション情報のスケジューリング情報の搬送方法は、MCCH更新インディケーション情報のスケジューリング情報をMCCH又はBCCHに搬送して送信することを含む。
【０００９】
好ましくは、前記MCCH更新インディケーション情報のスケジューリング情報は、少なくともMCCH更新インディケーション情報の送信法則情報を含む。
【００１０】
好ましくは、前記MCCH更新インディケーション情報の送信法則は、前記MCCH更新インディケーション情報の送信周期と、前記MCCH更新インディケーション情報を搬送する初期無線フレーム情報とを含む。
【００１１】
好ましくは、前記MCCH更新インディケーション情報の送信法則は、前記MCCH更新インディケーション情報を搬送するサブフレーム情報をさらに含む。
【００１２】
好ましくは、前記方法は、
サブフレーム番号を指示する方式で、前記MCCH更新インディケーション情報を搬送するサブフレーム情報を指示することをさらに含む。
【００１３】
好ましくは、前記MCCH更新インディケーション情報のスケジューリング情報は、MCCH更新インディケーション情報の制御情報をさらに含む。
【００１４】
好ましくは、前記MCCH更新インディケーション情報の送信周期及び/又は初期無線フレーム情報は、MCCHの送信周期又は修正周期により暗黙的に送信される。
【００１５】
好ましくは、前記MCCH更新インディケーション情報の送信周期及び/又は初期無線フレーム情報がMCCHの送信周期又は修正周期により暗黙的に送信されることは、
前記MCCH更新インディケーション情報の送信周期とMCCHの送信周期又は修正周期との間に倍数関係を設定し、前記倍数をMCCH又はBCCHに搬送して送信するまたは前記倍数をプロトコルにより固定値に配置する。
【００１６】
MCCH更新インディケーション情報のスケジューリング情報の受信方法は、MCCH又はBCCHを受信してMCCH更新インディケーション情報のスケジューリング情報を取得し、前記MCCH更新インディケーション情報のスケジューリング情報においてMCCH更新インディケーション情報の送信法則情報に基づいて前記MCCH更新インディケーション情報を受信することを含む。
【００１７】
好ましくは、前記MCCH更新インディケーション情報を受信することは、具体的に、
前記MCCH更新インディケーション情報のスケジューリング情報に前記MCCH更新インディケーション情報を搬送する無線フレーム情報だけが含まれる場合、前記MCCH更新インディケーション情報の制御情報を取得するまで、前記MCCH更新インディケーション情報を搬送する無線フレーム内の全てのサブフレームの制御領域を逐一受信してサーチし、前記MCCH更新インディケーション情報の制御情報に基づいて当該サブフレームデータ領域に搬送された前記MCCH更新インディケーション情報を取得する。前記MCCH更新インディケーション情報のスケジューリング情報に前記MCCH更新インディケーション情報を搬送するサブフレーム情報だけが含まれる場合、前記サブフレーム情報に基づいて、前記MCCH更新インディケーション情報の制御情報を取得するまで、各無線フレームにおける前記サブフレームの制御領域を逐一受信してサーチし、前記MCCH更新インディケーション情報の制御情報に基づいて当該サブフレームデータ領域に搬送された前記MCCH更新インディケーション情報を取得する。
【００１８】
前記MCCH更新インディケーション情報のスケジューリング情報には前記MCCH更新インディケーション情報を搬送する無線フレーム情報が含まれ、具体的に前記MCCH更新インディケーション情報を搬送するサブフレーム情報がさらに含まれる場合、前記MCCH更新インディケーション情報を搬送する無線フレームにおいて前記サブフレームの制御領域を受信してサーチし、前記MCCH更新インディケーション情報の制御情報を取得し、前記MCCH更新インディケーション情報の制御情報に基づいて、当該サブフレームデータ領域に搬送された前記MCCH更新インディケーション情報を取得する。
【００１９】
前記MCCH更新インディケーション情報のスケジューリング情報には前記MCCH更新インディケーション情報を搬送する無線フレーム情報が含まれ、MCCH更新インディケーション情報の制御情報がさらに含まれる場合、前記MCCH更新インディケーション情報を取得するまで、前記MCCH更新インディケーション情報を搬送する無線フレームにおける全てのサブフレームのデータ領域において前記制御情報によって指示される時間周波数リソース上のデータを逐一受信し、そして、デコードして判断する。
【００２０】
前記MCCH更新インディケーション情報のスケジューリング情報には前記MCCH更新インディケーション情報を搬送するサブフレーム情報が含まれ、MCCH更新インディケーション情報の制御情報がさらに含まれる場合、前記MCCH更新インディケーション情報を取得するまで、各無線フレーム内の前記サブフレームのデータ領域において前記制御情報によって指示される時間周波数リソース上のデータを受信し、そして、デコードして判断する。
【００２１】
前記MCCH更新インディケーション情報のスケジューリング情報には前記MCCH更新インディケーション情報を搬送する無線フレーム及びサブフレーム情報が含まれ、MCCH更新インディケーション情報の制御情報がさらに含まれる場合、前記無線フレーム情報、サブフレーム情報及びMCCH更新インディケーション情報の制御情報に基づいて、前記MCCH更新インディケーション情報を搬送する無線フレーム内の前記サブフレームのデータ領域におけるMCCH更新インディケーション情報を受信する。
【００２２】
MCCH更新インディケーション情報のスケジューリング情報の搬送装置は、
MCCH更新インディケーション情報のスケジューリング情報を設定する設定ユニットと、
前記MCCH更新インディケーション情報のスケジューリング情報をMCCH又はBCCHに配置する搬送ユニットと、
前記MCCH又は前記BCCHを送信する送信ユニットとを備える。
【００２３】
好ましくは、前記MCCH更新インディケーション情報のスケジューリング情報は、少なくともMCCH更新インディケーション情報の送信法則情報を含み、前記MCCH更新インディケーション情報の送信法則は、前記MCCH更新インディケーション情報の送信周期と、前記MCCH更新インディケーション情報を搬送する初期無線フレーム情報とを含む。
【００２４】
好ましくは、前記MCCH更新インディケーション情報の送信法則は、前記MCCH更新インディケーション情報を搬送するサブフレーム情報をさらに含む。
【００２５】
好ましくは、前記MCCH更新インディケーション情報のスケジューリング情報は、前記MCCH更新インディケーション情報の制御情報をさらに含む。
【００２６】
MCCH更新インディケーション情報のスケジューリング情報の受信装置は、
MCCH又はBCCHを受信し、MCCH更新インディケーション情報のスケジューリング情報を取得する第１受信ユニットと、
前記MCCH更新インディケーション情報のスケジューリング情報においてMCCH更新インディケーション情報の送信法則情報に基づいて前記MCCH更新インディケーション情報をさらに受信する第２受信ユニットと、を備える。
【００２７】
好ましくは、前記第２受信ユニットが前記MCCH更新インディケーション情報を受信することは、具体的に、
前記MCCH更新インディケーション情報のスケジューリングには前記MCCH更新インディケーション情報を搬送する無線フレーム情報だけが含まれる場合、前記第２受信ユニットは前記MCCH更新インディケーション情報の制御情報を取得するまで、前記MCCH更新インディケーション情報を搬送する無線フレーム内の全てのサブフレームの制御領域を逐一受信してサーチし、前記MCCH更新インディケーション情報の制御情報に基づいて当該フレームデータ領域に搬送された前記MCCH更新インディケーション情報を取得する。
【００２８】
前記MCCH更新インディケーション情報のスケジューリング情報には前記MCCH更新インディケーション情報を搬送するサブフレーム情報だけが含まれる場合、前記第２受信ユニットはさらに前記サブフレーム情報に基づいて、前記MCCH更新インディケーション情報の制御情報を取得するまで、各無線フレーム内の前記サブフレームの制御領域を逐一受信してサーチし、前記MCCH更新インディケーション情報の制御情報に基づいて当該サブフレームデータ領域に搬送された前記MCCH更新インディケーション情報を取得する。
【００２９】
前記MCCH更新インディケーション情報のスケジューリング情報には前記MCCH更新インディケーション情報を搬送する無線フレーム情報が含まれ、具体的に前記MCCH更新インディケーション情報を搬送するサブフレーム情報がさらに含まれる場合、前記第２受信ユニットは前記MCCH更新インディケーション情報を搬送する無線フレーム内の前記サブフレームの制御領域を受信してサーチし、前記MCCH更新インディケーション情報の制御情報を取得し、前記MCCH更新インディケーション情報の制御情報に基づいて、当該サブフレームデータ領域に搬送された前記MCCH更新インディケーション情報を取得する。
【００３０】
前記MCCH更新インディケーション情報のスケジューリング情報には前記MCCH更新インディケーション情報を搬送する無線フレーム情報が含まれ、MCCH更新インディケーション情報の制御情報がさらに含まれる場合、前記MCCH更新インディケーション情報を取得するまで、前記第２受信ユニットは前記MCCH更新インディケーション情報を搬送する無線フレーム内の全てのサブフレームのデータ領域において前記制御情報によって指示される時間周波数リソース上のデータを逐一受信し、そして、デコードして判断する。
【００３１】
前記MCCH更新インディケーション情報のスケジューリング情報には前記MCCH更新インディケーション情報を搬送するサブフレーム情報が含まれ、MCCH更新インディケーション情報の制御情報がさらに含まれる場合、前記第２受信ユニットは前記MCCH更新インディケーション情報を取得するまで、各無線フレーム内の前記サブフレームのデータ領域において前記制御情報によって指示される時間周波数リソースにおけるデータを受信し、そして、デコードして判断する。
【００３２】
前記MCCH更新インディケーション情報のスケジューリング情報には前記MCCH更新インディケーション情報を搬送する無線フレーム及びサブフレーム情報が含まれ、MCCH更新インディケーション情報の制御情報がさらに含まれる場合、前記第２受信ユニットは前記無線フレーム情報、サブフレーム情報及びMCCH更新インディケーション情報の制御情報に基づいて、前記MCCH更新インディケーション情報を搬送する無線フレーム内の前記サブフレームのデータ領域におけるMCCH更新インディケーション情報を受信する。
【００３３】
本発明は、モバイル端末が指示された時間周波数リソース上にMCCH更新インディケーション情報を受信するように、MCCH更新インディケーション情報のスケジューリング情報を設定することでMCCH更新インディケーション情報を搬送する時間周波数リソースを指示する。本発明に係るMCCH更新インディケーション情報のスケジューリング情報がMCCH又は放送制御チャネル（ＢＣＣＨ：Broadcast Control Channel）に搬送され、MCCH又はBCCHに搬送されたものがすべて公共情報であるから、モバイル端末はMCCH又はBCCHを受信した後、MCCH更新インディケーション情報の時間周波数リソース情報を取得することができ、従って、前記MCCH更新インディケーション情報を受信し、常にわりに多い情報を搬送するMCCH又はBCCHを受信する必要がなくて、MCCH内の搬送情報が変更する時のみ、モバイル端末は受信を行って、これにより、モバイル端末を更に省電力にする。
【図面の簡単な説明】
【００３４】
【図１】本発明に係るMBMSシステムにおけるMCCH更新インディケーション情報のスケジューリング情報の搬送方法の実施例一のフローチャートである。
【図２】本発明に係るMBMSシステムにおけるMCCH更新インディケーション情報のスケジューリング情報の受信方法の実施例一のフローチャートである。
【図３】本発明に係るMBMSシステムにおけるMCCH更新インディケーション情報のスケジューリング情報の搬送方法の実施例二のフローチャートである。
【図４】本発明に係るMBMSシステムにおけるMCCH更新インディケーション情報のスケジューリング情報の受信方法の実施例二のフローチャートである。
【図５】本発明に係るMBMSシステムにおけるMCCH更新インディケーション情報のスケジューリング情報の搬送装置の構成図である。
【図６】本発明に係るMBMSシステムにおけるMCCH更新インディケーション情報のスケジューリング情報の受信装置の構成図である。
【発明を実施するための形態】
【００３５】
本発明の基本的な着想は、MCCH又はBCCHによりMCCH更新インディケーション情報のスケジューリング情報を搬送し、前記MCCH更新インディケーション情報のスケジューリング情報が少なくともMCCH更新インディケーション情報の送信法則情報を含み、端末がMCCH更新インディケーション情報を見つけて受信することを助けるように、前記送信法則がMCCH更新インディケーション情報を搬送する時間周波数リソースの位置情報を説明する。ここで、送信法則の実例をあげ、モバイル端末がMCCH又はBCCHを受信した後、正確にMCCH更新インディケーション情報の送信時刻、時間周波数リソース等の情報をすぐ知られることを助けるように、送信法則情報により、どの無線フレーム又はサブフレームがMCCH更新インディケーション情報を搬送するかを明らかに指摘し、又は、MCCH更新インディケーション情報の送信周期、周期の初期位置情報等を明らかに指摘し、それによって、モバイル端末がMCCH更新インディケーション情報を受信することのために準備させる。こうして、モバイル端末はMCCHにおける情報が変更する時のみ、受信を行って、モバイル端末をさらに省電力にする。
【００３６】
本発明の目的、技術的なスキームとメリットをいっそうはっきり明白させるために、以下、実施例をあげて且つ図面を参照して、本発明に対して、さらに詳しく説明する。
【００３７】
図１は、本発明に係るMBMSシステムにおけるMCCH更新インディケーション情報のスケジューリング情報の搬送方法の実施例一のフローチャートである。図１に示されるように、本発明に係るMBMSシステムにおけるMCCH更新インディケーション情報のスケジューリング情報の搬送方法は、以下のステップを含む。
【００３８】
ステップ１０１、MCCH更新インディケーション情報のスケジューリング情報を設定する。
【００３９】
前記MCCH更新インディケーション情報のスケジューリング情報は、少なくともMCCH更新インディケーション情報の送信法則情報を含む。ここで、MCCH更新インディケーション情報のスケジューリング情報にはMCCH更新インディケーション情報の送信法則情報だけが含まれ、モバイル端末は当該送信法則により、どの無線フレーム又はサブフレームにMCCH更新インディケーション情報が搬送されるかが知られる。搬送されるMCCH更新インディケーション情報の時間周波数リソースがMBMSネットワーク側によって確定されるが、搬送方式は、唯一確定されるものであり、本発明のMCCH更新インディケーション情報のスケジューリング情報は、MCCH更新インディケーション情報を搬送するリソースが現れる法則をモバイル端末へ知らせ、MCCH更新インディケーション情報送信法則を説明する方式は多様である。例えば、MBMSネットワーク側がMCCH更新インディケーション情報を周期的に送信することを規定する場合、MCCH更新インディケーション情報のスケジューリング情報にはMCCH更新インディケーション情報を搬送する無線フレームの周期情報及び初期位置情報が含まれ、当該初期位置は、即ち、MCCH更新インディケーション情報の送信周期において、何番目の無線フレームで搬送するかものである。具体的に公式で説明し、
ＳＦＮ ｍｏｄ ｐｅｒｉｏｄ＝ｏｆｆｓｅｔであり、
ここで、SFN（System Frame Number）は、システム無線フレーム番号であり、LTEシステムにおいて、数値が０〜１０２３であり、periodがMCCH更新インディケーション情報の送信周期であり、offsetがMCCH更新インディケーション情報の送信周期の初期無線フレーム情報であり、offsetがSFN=０に対する無線フレームのオフセット量を示し、その中、前記送信周期及び前記初期無線フレーム情報が同時に無線フレームを計量単位としてよいし、時間を計量単位としてもよい。その中、modは、モジュラ計算である。
【００４０】
送信周期が１０個の無線フレームである例にすると、MCCH更新インディケーション情報を搬送する初期無線フレームが３であり、すると、１０個ずつの無線フレーム（無線フレーム番号が０である無線フレームから計算する）には、３番目の無線フレームはMCCH更新インディケーション情報を搬送する無線フレームである。公式で示すと
ＳＦＮ ｍｏｄ １０＝２
当該等式を満たすSFNに対応する無線フレームは、MCCH更新インディケーション情報を搬送する無線フレームである。本実施例において無線フレームを計量単位とする。モバイル端末は受信された無線フレームに対して無線フレーム番号によって法１０に対して剰余を持ち、剰余値が２である無線フレームがMCCH更新インディケーション情報を搬送する無線フレームであり、無線フレームの範囲がわりに大きいから、モバイル端末が無線フレーム内の全てのサブフレームを全体に受信してサーチすることによってMCCH更新インディケーション情報を取得することは複雑であるため、従って、MCCH更新インディケーション情報を搬送するサブフレーム情報をモバイル端末へ知らせたほうがよい。ここで、いくつかのサブフレームを指示する方法を挙げ、直接に無線フレーム内のサブフレーム番号が通知されることができる。各無線フレームにはサブフレームが１０個あり、番号が#０〜#９であり、二進法の４bitに対応する十進法数値でサブフレーム番号を示すと、例えば、「００００」はサブフレーム#０がMCCH更新インディケーション情報を搬送することを示し、「００１１」はサブフレーム#３がMCCH更新インディケーション情報を搬送することをしめし、・・・他に順次類推する。Bitmap方式でどのサブフレームかがMCCH更新インディケーション情報を搬送することは指示されてもよい。即ち、１０bitでどのサブフレームかがMCCH更新インディケーション情報を搬送することは示され、「０１００００００００」はサブフレーム#１がMCCH更新インディケーション情報を搬送することを理解してよい。従って、MCCH更新インディケーション情報のスケジューリング情報は少なくともMCCH更新インディケーション情報を搬送する無線フレームの送信周期情報（ここで無線フレームを単位として説明する）と、MCCH更新インディケーション情報の無線フレームの送信周期の初期無線フレーム情報と、MCCH更新インディケーション情報を搬送する無線フレーム内において具体的にMCCH更新インディケーション情報を搬送するサブフレーム情報と、を含む。
【００４１】
ステップ１０２、MCCH更新インディケーション情報のスケジューリング情報をMCCH又はBCCHに配置して、送信する。
【００４２】
本実施例には、MCCH更新インディケーション情報のスケジューリング情報をMCCHに搬送するだけでよい、即ち、MCCH更新インディケーション情報のスケジューリング情報をMCCHに配置する。当該MCCH更新インディケーション情報のスケジューリング情報のために、MCCH内に専用の情報ユニット（ ＩＥ：Information element）項目を設定してよいし、MCCHにおける他の情報と一つのIE項目を共有してもよい。
【００４３】
MCCH更新インディケーション情報のスケジューリング情報をBCCHに搬送する場合、当該MCCH更新インディケーション情報のスケジューリング情報のために、BCCH内に専用のIE項目を設定してもよいし、BCCHにおける他の情報と一つのIE項目を共有してもよい。
【００４４】
MCCH更新インディケーション情報の無線フレームの送信周期の初期無線フレーム情報がMCCH又はBCCHに搬送され、MCCH又はBCCHを送信することで、即ち、MCCH更新インディケーション情報のスケジューリング情報をモバイル端末へ送信する。ここで、MCCH更新インディケーション情報の無線フレームの送信周期の初期無線フレーム情報は、他のパラメータにより暗黙的に送信されてもよい。例えば、前記periodがMCCHの送信周期又は修正周期により隠されたことができるし、MCCHの送信周期とMCCHの修正周期との間に倍数関係を立てて隠されたことができ、当該倍数がMCCH更新インディケーション情報のスケジューリング情報とされてMCCH又はBCCHに搬送されてよいし、倍数をプロトコルにより固定させてもよい。OffsetがMCCHの送信周期又は修正周期の送信オフセットにより隠されたことができ、MCCHの送信周期とMCCHの修正周期との送信オフセットを同じにさせることができでもよいし、MCCHの送信周期とMCCHの修正周期との間に所定のマッピング関係を立ててもよい。当該マッピング関係がMCCH更新インディケーション情報のスケジューリング情報とされてMCCH又はBCCHに搬送されてもよいし、マッピング関係をプロトコルにより固定させてもよい。
【００４５】
図２は、本発明に係るMBMSシステムにおけるMCCH更新インディケーション情報のスケジューリング情報の受信方法の実施例一のフローチャートである。図２に示されるように、図１に説明されたMCCH更新インディケーション情報のスケジューリングに対して、本実施例のMBMSシステムにおけるMCCH更新インディケーション情報のスケジューリング情報の受信方法は、以下のステップを含む。
【００４６】
ステップ２０１：モバイル端末は、MCCH又はBCCHを受信してMCCH更新インディケーション情報のスケジューリング情報を取得する。
【００４７】
MCCH又はBCCHを受信した後、MCCH又はBCCHを解析し、MCCHに搬送されたMCCH更新インディケーション情報のスケジューリング情報を取得することができ、それによって、MCCH更新インディケーション情報が具体的にどの無線フレーム又はサブフレームに搬送されているかが知られる。
【００４８】
ステップ２０２：前記MCCH更新インディケーション情報のスケジューリング情報におけるMCCH更新インディケーション情報の送信法則情報に基づいて、前記MCCH更新インディケーション情報をさらに受信する。
【００４９】
モバイル端末は、MCCH更新インディケーション情報をさらに受信する方式は、次の通りである。
【００５０】
前記MCCH更新インディケーション情報のスケジューリング情報には前記MCCH更新インディケーション情報を搬送する無線フレーム情報だけが含まれる場合、あるサブフレームの制御領域において前記MCCH更新インディケーション情報の制御情報を取得するまで、前記MCCH更新インディケーション情報を搬送する無線フレームにおける全てのサブフレームの制御領域を逐一受信してサーチし、前記MCCH更新インディケーション情報の制御情報に指示されて前記MCCH更新インディケーション情報を搬送する時間周波数リソースに基づいて、当該サブフレームに搬送された前記MCCH更新インディケーション情報を取得する。
【００５１】
MCCH更新インディケーション情報のスケジューリングにはどの無線フレームにMCCH更新インディケーション情報を搬送するかことを指示することだけが含まれる場合、具体的には、ここで、公式SFN mod period = offsetを利用して、どの無線フレームにMCCH更新インディケーション情報を搬送するかを説明し、すると、MCCH更新インディケーション情報のスケジューリングには直接にperiodとoffsetとの二つのパラメータの情報が含まれる。ステップ１０２に説明されたように、periodはMCCHの送信周期又は修正周期により暗黙的に送信されてもよいし、offsetはMCCHの送信周期又は修正周期の送信オフセットにより暗黙的に送信されてもよい。
【００５２】
モバイル端末は、MCCH更新インディケーション情報を搬送する無線フレーム内の全てのサブフレームの制御領域をサーチする。MCCH更新インディケーション情報の制御情報に自身を識別する無線ネットワーク一時識別子（ＲＮＴＩ：Radio Network Temporary Identifier）があるので、制御領域内の完全な各制御情報におけるRNTIを盲検することでMCCH更新インディケーション情報の制御情報であるかどうかを判断し、詳しくはLTEプロトコル３６．２１２を参考してよい。正確なMCCH更新インディケーション情報の制御情報を受信したまで、受信されたMCCH更新インディケーション情報の制御情報に基づいて、当該サブフレームのデータ領域においてMCCH更新インディケーション情報を受信して解析する。RNTIがネットワーク側により配置され、MCCH更新インディケーション情報の制御情報を生成する時、RNTIをMCCH更新インディケーション情報の制御情報の巡回冗長検査（ＣＲＣ：Cyclic Redundancy Check）コードに隠し、詳しくはLTEプロトコル３６．２１２を参考してよい。従って、RNTIによりMCCH更新インディケーション情報の制御情報を確定できる。MCCH更新インディケーション情報のRNTIが本実施例では事前に配置されているものである。MCCH更新インディケーション情報の制御情報は、MCCH更新インディケーション情報を搬送するサブフレームの制御領域で配置されて送信されるものである。
【００５３】
MCCH更新インディケーション情報のスケジューリング情報にはどのサブフレームにMCCH更新インディケーション情報を搬送するかを指示することだけが含まれる場合、モバイル端末は、各無線フレームにおいてMCCH更新インディケーション情報を搬送する可能性があるサブフレームの制御領域をサーチする。MCCH更新インディケーション情報の制御情報には自身を識別するRNTIを持つので、制御領域内の完全な各制御情報におけるRNTIを盲検することでMCCH更新インディケーション情報の制御情報であるかどうかを判断し、詳しくはLTEプロトコル３６．２１２を参考してよい。正確なMCCH更新インディケーション情報の制御情報を受信したまで、受信されたMCCH更新インディケーション情報の制御情報に基づいて、当該サブフレームのデータ領域においてMCCH更新インディケーション情報を受信して解析する。RNTIがネットワークにより配置され、MCCH更新インディケーション情報の制御情報を生成する時、RNTIをMCCH更新インディケーション情報の制御情報のCRCコードに隠し、詳しくはLTEプロトコル３６．２１２を参考してよい。従って、RNTIによりMCCH更新インディケーション情報の制御情報を確定できる。MCCH更新インディケーション情報のRNTIは、本実施例で事前に配置されたものである。MCCH更新インディケーション情報の制御情報は、MCCH更新インディケーション情報を搬送するサブフレームの制御領域で配置されて送信されるものである。
【００５４】
前記MCCH更新インディケーション情報のスケジューリング情報には前記MCCH更新インディケーション情報を搬送する無線フレーム情報が含まれ、具体的に前記MCCH更新インディケーション情報を搬送するサブフレーム情報がさらに含まれる場合、前記MCCH更新インディケーション情報を搬送する無線フレームにおける前記サブフレームの制御領域を受信してサーチし、指示された無線フレーム内の具体的なサブフレームの制御領域において前記MCCH更新インディケーション情報の制御情報を取得し、前記MCCH更新インディケーション情報の制御情報に基づいて当該サブフレームデータ領域に搬送された前記MCCH更新インディケーション情報を取得する。
【００５５】
MCCH更新インディケーション情報のスケジューリング情報にはどの無線フレームにMCCH更新インディケーション情報を搬送するかを指示することが含まれ、具体的にMCCH更新インディケーション情報を搬送するサブフレームがさらに含まれる場合、例えば、SFN mod period = offsetを利用して、どの無線フレームにMCCH更新インディケーション情報を搬送するかを説明し、さらに、サブフレーム番号を通知する方法を利用して、これらのMCCH更新インディケーション情報を搬送する無線フレーム内において具体的にMCCH更新インディケーション情報を搬送するサブフレーム情報を説明する。こうして、MCCH更新インディケーション情報のスケジューリング情報には直接にperiodとoffsetとの２つのパラメータの情報、及び当該無線フレームにおおける具体的にMCCH更新インディケーション情報を搬送するサブフレーム番号情報が含まれる。ここで、具体的なパラメータも他のパラメータにより暗黙的に通知されることに注意される必要がある。例えば、periodがMCCHの送信周期又は修正周期により隠されたことができ、MCCHの送信周期とMCCHの修正周期との間に倍数関係を立てて隠されたことができ、当該倍数がMCCH更新インディケーション情報のスケジューリング情報とされMCCH又はBCCHに搬送されてよいし、倍数をプロトコルにより固定させてもよい。例えば、offsetがMCCHの送信周期又は修正周期の送信オフセットにより隠されたことができ、MCCHの送信周期とMCCHの修正周期との送信オフセットを同じにさせてもよい、MCCHの送信周期とMCCHの修正周期との間に所定のマッピング関係を立ててもよい。当該マッピング関係がMCCH更新インディケーション情報のスケジューリング情報とされてMCCH又はBCCHに搬送されてもよいし、マッピング関係をプロトコルにより固定させてもよい。例えば、具体的にMCCH更新インディケーション情報を搬送するサブフレーム情報が定まれることができ、例えば前記サブフレーム情報が当該無線フレーム内のサブフレーム#０であることが定まれる。モバイル端末は、MCCH更新インディケーション情報を搬送する無線フレーム内においてMCCH更新インディケーション情報を搬送するサブフレームの制御領域をサーチする。MCCH更新インディケーション情報の制御情報には自身を識別するRNTIを持つので、制御領域中の完全な各制御情報におけるRNTIを盲検することでMCCH更新インディケーション情報の制御情報であるかどうかを判断し、具体的にLTEプロトコル３６．２１２を参考してよい。正確なMCCH更新インディケーション情報の制御情報を受信した後、受信されたMCCH更新インディケーション情報の制御情報に基づいて、当該サブフレームのデータ領域においてMCCH更新インディケーション情報を受信して解析する。
【００５６】
図３は、本発明に係るMBMSシステムにおけるMCCH更新インディケーション情報のスケジューリング情報の搬送方法の実施例二のフローチャートである。図３に示されるように、本発明に係るMBMSシステムにおけるMCCH更新インディケーション情報のスケジューリング情報の搬送方法は、以下のステップを含む。
【００５７】
ステップ３０１、MCCH更新インディケーション情報のスケジューリング情報を設定する。
【００５８】
前記MCCH更新インディケーション情報のスケジューリング情報には少なくともMCCH更新インディケーション情報の送信法則情報が含まれる。図１でのステップ１０１と比べ、ステップ３０１中のMCCH更新インディケーション情報のスケジューリング情報にはMCCH更新インディケーション情報の制御情報がさらに含まれ、当該制御情報がMCCH更新インディケーション情報がサブフレーム内の具体的な時間周波数リソース情報、及びMCCH更新インディケーション情報に採用された変調符号化スキーム（ＭＣＳ：Modulation and Coding Scheme）情報を説明する。モバイル端末は、MCCH更新インディケーション情報の制御情報を受信したと、直接に相応する時間周波数リソースからMCCH更新インディケーション情報を受信することができる。
【００５９】
ステップ３０２、MCCH更新インディケーション情報のスケジューリング情報をMCCH又はBCCHに配置して送信する。
【００６０】
本実施例は、MCCH更新インディケーション情報のスケジューリング情報をMCCHに搬送するだけでよい、即ち、MCCH更新インディケーション情報のスケジューリング情報をMCCHの制御領域に配置する。当該MCCH更新インディケーション情報のスケジューリング情報のために専用のIE項目を設定してよいし、MCCHにおける他の情報と一つのIE項目を共有してもよい。具体的な搬送方式及び送信方式は、ステップ１０２における関連説明を参照してください、ここで贅言しない。
【００６１】
MCCH更新インディケーション情報のスケジューリング情報は、BCCHに搬送されてよい。
【００６２】
図４は、本発明に係るMBMSシステムにおけるMCCH更新インディケーション情報のスケジューリング情報の受信方法の実施例二のフローチャートである。図４に示されるように、図３で説明されたMCCH更新インディケーション情報のスケジューリング情報に対して、本実施例のMBMSシステムにおけるMCCH更新インディケーション情報のスケジューリング情報の受信方法は、以下のステップを含む。
【００６３】
ステップ４０１、モバイル端末は、MCCH又はBCCHを受信して、MCCH更新インディケーション情報のスケジューリング情報を取得する。
【００６４】
MCCH又はBCCHを受信した後、MCCH又はBCCH制御領域におけるMBMSサービスの制御情報を解析したら、MCCH更新インディケーション情報のスケジューリング情報が知られる。スケジューリング情報においてMCCH更新インディケーション情報を搬送する無線フレーム又はサブフレームの情報、及びMCCH更新インディケーション情報の制御情報に基づいて、MCCH更新インディケーション情報が具体的にどの無線フレーム又はサブフレームの時間周波数リソース上に搬送されたかを、及びMCCH更新インディケーション情報コードに採用されたMCS情報を知る。
【００６５】
ステップ４０２、前記MCCH更新インディケーション情報のスケジューリング情報においてMCCH更新インディケーション情報の送信法則情報に基づいて、前記MCCH更新インディケーション情報をさらに受信する。
【００６６】
モバイル端末がMCCH更新インディケーション情報をさらに受信する方式は、次の通りである。
【００６７】
前記MCCH更新インディケーション情報のスケジューリング情報には前記MCCH更新インディケーション情報を搬送する無線フレーム情報が含まれ、MCCH更新インディケーション情報の制御情報がさらに含まれる場合、前記MCCH更新インディケーション情報を取得するまで、前記MCCH更新インディケーション情報を搬送する無線フレーム内の全てのサブフレームのデータ領域において前記制御情報によって指示される時間周波数リソース上のデータを逐一受信して、デコードして判断する。ここで、MCCH更新インディケーション情報を搬送する無線フレーム情報を取得する方式は、依然として前記ステップ２０２中の方式と同様であり、無線フレームを確定した後、MCCH更新インディケーション情報の制御情報に基づいて、正確なMCCH更新インディケーション情報を取得するまで、前記無線フレーム内の全てのサブフレームにおいて前記制御情報によって指示された時間周波数リソース上にデータを受信して解析し、デコードして、そして、当該データにおいてデコードされた後のCRCを利用して、解析されたデータが前記MCCH更新インディケーション情報であるかどうかを判断する。CRCはデコードが正確であると表示すると、受信された当該データはMCCH更新インディケーション情報であることを示す。
【００６８】
前記MCCH更新インディケーション情報のスケジューリング情報には前記MCCH更新インディケーション情報を搬送するサブフレーム情報が含まれ、MCCH更新インディケーション情報の制御情報がさらに含まれる場合、前記MCCH更新インディケーション情報の制御情報を取得するまで、各無線フレーム内の前記サブフレームのデータ領域において前記制御情報によって指示された時間周波数リソース上のデータを受信して、デコードして判断する。ここで、MCCH更新インディケーション情報を搬送するサブフレーム情報を取得する方式は、依然として前記ステップ２０２中の方式と同様であり、MCCH更新インディケーション情報を搬送するサブフレームを確定した後、MCCH更新インディケーション情報の制御情報に基づいて、正確なMCCH更新インディケーション情報を取得するまで、各無線フレーム内の指示されたサブフレームにおいて前記制御情報によって指示された時間周波数リソース上にデータを受信して解析し、デコードして、そして、当該データにおいてデコードされた後のCRCを利用して、解析されたデータが前記MCCH更新インディケーション情報であるかどうかを判断する。CRCはデコードが正確であると表示すると、受信された当該データはMCCH更新インディケーション情報であることを示す。
【００６９】
前記MCCH更新インディケーション情報のスケジューリング情報には前記MCCH更新インディケーション情報を搬送する無線フレーム及びサブフレーム情報が含まれ、MCCH更新インディケーション情報の制御情報がさらに含まれる場合、前記無線フレーム情報、サブフレーム情報及びMCCH更新インディケーション情報の制御情報に基づいて、前記MCCH更新インディケーション情報を搬送する無線フレーム内の前記サブフレームにおいて前記制御情報によって指示されたデータ領域中のMCCH更新インディケーション情報を受信する。ここで、前記MCCH更新インディケーション情報を搬送する無線フレーム及びサブフレーム情報を取得する方式は、依然として前記ステップ２０２の方式と同様であり、前記MCCH更新インディケーション情報を搬送する無線フレーム及びサブフレームを確定した後、さらに、MCCH更新インディケーション情報の制御情報に基づいて、前記MCCH更新インディケーション情報を唯一に確定でき、直接に受信してデコードすればよい。
【００７０】
図５は、本発明に係るMBMSシステムにおけるMCCH更新インディケーション情報のスケジューリング情報の搬送装置の構成図である。図５に示されるように、本発明に係るMBMSシステムにおいてMCCH更新インディケーション情報のスケジューリング情報の搬送装置は、設定ユニット５０と搬送ユニット５１と送信ユニット５２とを備える。
【００７１】
設定ユニット５０は、MCCH更新インディケーション情報のスケジューリング情報を設定することに用いられる。前記MCCH更新インディケーション情報のスケジューリング情報には少なくともMCCH更新インディケーション情報の送信法則情報が含まれる。前記MCCH更新インディケーション情報送信法則は、前記MCCH更新インディケーション情報の送信周期と、前記MCCH更新インディケーション情報を搬送する初期無線フレーム情報とを含み、前記MCCH更新インディケーション情報を搬送するサブフレーム情報がさらに含まれることが好ましい。前記MCCH更新インディケーション情報のスケジューリング情報は前記MCCH更新インディケーション情報の制御情報をさらに含む。
【００７２】
搬送ユニット５１は、前記MCCH更新インディケーション情報のスケジューリング情報をMCCH又はBCCHに配置することに用いられる。
【００７３】
送信ユニット５２は、前記MCCH又は前記BCCHを送信することに用いられる。
【００７４】
当業者にとっては、本発明の図５に示されたMBMSシステムにおいてMCCH更新インディケーション情報のスケジューリング情報の搬送装置は図１及び図３に示されたMBMSシステムにおいてMCCH更新インディケーション情報のスケジューリングの搬送方法を実現するために設計されるものであり、図５に示される装置における各処理ユニットの実施機能が図１及び図３に示された方法中の関連説明を参照して理解されることができ、各ユニットの機能がプロセッサに運行されるプログラムにより実施されることができ、相応する論理回路により実施されることもできると理解すべきである。
【００７５】
図６は、本発明に係るMBMSシステムにおけるMCCH更新インディケーション情報のスケジューリング情報の受信装置の構成図である。図６に示されるように、本発明に係るMBMSシステムにおけるMCCH更新インディケーション情報のスケジューリングの受信装置は、第１受信ユニット６０と第２受信ユニット６１とを備える。
【００７６】
第１受信ユニット６０は、MCCH又はBCCHを受信して、MCCH更新インディケーション情報のスケジューリング情報を取得することに用いられる。ここで、MCCH更新インディケーション情報のスケジューリング情報は前記図１及び図３で説明されたMCCH更新インディケーション情報のスケジューリング情報と同様である。
【００７７】
第２受信ユニット６１は、前記MCCH更新インディケーション情報のスケジューリング情報においてMCCH更新インディケーション情報の送信法則情報に基づいて、前記MCCH更新インディケーション情報をさらに受信することに用いられる。
【００７８】
第２受信ユニット６１が前記MCCH更新インディケーション情報を受信することは、具体的に、
前記MCCH更新インディケーション情報のスケジューリング情報には前記MCCH更新インディケーション情報を搬送する無線フレーム情報だけが含まれる場合、前記MCCH更新インディケーション情報の制御情報を取得するまで、前記MCCH更新インディケーション情報を搬送する無線フレーム内の全てのサブフレームの制御領域を逐一受信してサーチし、前記MCCH更新インディケーション情報の制御情報に基づいて当該サブフレームデータ領域に搬送されたMCCH更新インディケーション情報を取得する。
【００７９】
前記MCCH更新インディケーション情報のスケジューリング情報には前記MCCH更新インディケーション情報を搬送するサブフレーム情報だけが含まれる場合、前記MCCH更新インディケーション情報の制御情報を取得するまで、前記サブフレーム情報によって、各無線フレームにおける前記サブフレームの制御領域を逐一受信してサーチし、前記MCCH更新インディケーション情報の制御情報に基づいて当該サブフレームデータ領域に搬送された前記MCCH更新インディケーション情報を取得する。
【００８０】
前記MCCH更新インディケーション情報のスケジューリングには前記MCCH更新インディケーション情報の無線フレーム情報が含まれ、具体的に前記MCCH更新インディケーション情報を搬送するサブフレーム情報がさらに含まれる場合、前記MCCH更新インディケーション情報を搬送する無線フレームにおいて前記サブフレームの制御領域を受信してサーチし、前記MCCH更新インディケーション情報の制御情報を取得し、前記MCCH更新インディケーション情報の制御情報に基づいて、当該サブフレームデータ領域に搬送された前記MCCH更新インディケーション情報を取得する。
【００８１】
前記MCCH更新インディケーション情報のスケジューリング情報には前記MCCH更新インディケーション情報を搬送する無線フレーム情報が含まれ、MCCH更新インディケーション情報の制御情報がさらに含まれる場合、前記MCCH更新インディケーション情報を取得するまで、前記MCCH更新インディケーション情報を搬送する無線フレーム内の全てのサブフレームのデータ領域において前記制御情報によって指示された時間周波数リソース上のデータを逐一受信して、デコードして判断する。
【００８２】
前記MCCH更新インディケーション情報のスケジューリング情報には前記MCCH更新インディケーション情報を搬送するサブフレーム情報が含まれ、MCCH更新インディケーション情報の制御情報がさらに含まれる場合、前記MCCH更新インディケーション情報の制御情報を取得するまで、各無線フレーム内の前記サブフレームのデータ領域において前記制御情報によって指示された時間周波数リソース上のデータを受信して、デコードして判断する。
【００８３】
前記MCCH更新インディケーション情報のスケジューリング情報には前記MCCH更新インディケーション情報を搬送する無線フレーム及びサブフレーム情報が含まれ、MCCH更新インディケーション情報の制御情報がさらに含まれる場合、前記無線フレーム情報、サブフレーム情報及びMCCH更新インディケーション情報の制御情報に基づいて、前記MCCH更新インディケーション情報を搬送する無線フレーム内の前記サブフレームのデータ領域におけるMCCH更新インディケーション情報を受信する。
【００８４】
図６に示されたMBMSシステムにおけるMCCH更新インディケーション情報のスケジューリング情報の受信装置は、図５に示されたMBMSシステムにおけるMCCH更新インディケーション情報のスケジューリング情報の搬送装置と組み合わせて使用することができる。
【００８５】
当業者にとっては、本発明図６に示されたMBMSシステムにおいてMCCH更新インディケーション情報のスケジューリング情報の受信装置は図２及び図４に示されたMBMSシステムにおいてMCCH更新インディケーション情報のスケジューリング情報の受信方法を実施するために設計されるものであり、図６に示された装置中の各処理ユニットの実施機能が図２及び図４に示された方法中の関連説明を参照して理解されることができ、各ユニットの機能がプロセッサに運行されるプログラムにより実施されることができ、相応する論理回路により実施されることもできると理解すべきである。
【００８６】
前記のものは、本発明の好ましい実施例だけであるが、本発明の特許請求の範囲を限定することに用いられるものではない。
【図１】
0005632451.tif 000002
【図２】
0005632451.tif 000003
【図３】
0005632451.tif 000004
【図４】
0005632451.tif 000005
【図５】
0005632451.tif 000006
【図６】
0005632451.tif 000007